(57)【要約】【課題】意匠性を向上させること。【解決手段】実施形態に係る照明装置は、基板と、本体部と、カバー部と、筐体部とを具備する。基板は、光源が実装される。本体部は、対向する側壁によって形成される開口部の周縁から外側へ折り返して形成された折り返し部を有し、開口部の内側に基板を収容する。カバー部は、折り返し部を開口部の外側から覆う側面部と、開口部を覆う底面部とを有し、透光性である。筐体部は、側面部との間に空間を設けて本体部を収容する。【選択図】図２
2019149310.tif 000002
【特許請求の範囲】
【請求項１】
光源が実装される基板と；
対向する側壁によって形成される開口部の周縁から外側へ折り返して形成された折り返し部を有し、前記開口部の内側に前記基板を収容する本体部と；
前記折り返し部を前記開口部の外側から覆う側面部と、前記開口部を覆う底面部とを有する透光性のカバー部と；
前記側面部との間に空間を設けて前記本体部を収容する筐体部と；
を具備することを特徴とする照明装置。
【請求項２】
前記本体部は、
前記開口部の周縁と前記底面部とを離間させた状態で固定されること
を特徴とする請求項１に記載の照明装置。
【請求項３】
前記側面部は、
前記折り返し部を先端側から係止する爪部；
を具備することを特徴とする請求項１または２に記載の照明装置。
【請求項４】
前記基板は、
前記側壁に設置されること
を特徴とする請求項１、２または３に記載の照明装置。
【請求項５】
前記本体部は、
前記対向する側壁が前記開口部に向かって前記開口部の外側へ傾斜して設けられること
を特徴とする請求項４に記載の照明装置。
【発明の詳細な説明】
【技術分野】
【０００１】
本発明は、照明装置に関する。
【背景技術】
【０００２】
近年、ＬＥＤ(Light  Emitting  Diode)を光源とする照明装置が普及している。かかる照明装置として、天井面に対してフラットに設置されるいわゆるベースライト式の照明装置がある。
【０００３】
また、近年では、かかる照明装置における照明部分を挟んで両側に空調用の吸排気口を備えるものが知られている。
【先行技術文献】
【非特許文献】
【０００４】
【非特許文献１】Panasonic、「システム天井用照明器具スリム２１シリーズフラットパネルタイプ」、[online]、2017年、［２０１８年２月１６日検索]、インターネット＜URL:  http://esctlg.panasonic.biz/iportal/CatalogPageGroupSearch.do?method=catalogPageGroupSearchByCatalogCategory&type=clcsr&volumeID=PEWJ0001&catalogID=4568190000&catalogCategoryID=1619990000＞
【発明の概要】
【発明が解決しようとする課題】
【０００５】
しかしながら、従来の照明装置では、意匠性を向上させる点において改善の余地があった。例えば、従来の照明装置では、吸排気口が光らず、天井において吸排気口に対応する部分が暗く見える。
【０００６】
本発明が解決しようとする課題は、意匠性を向上させることができる照明装置を提供することを目的とする。
【課題を解決するための手段】
【０００７】
実施形態に係る照明装置は、基板と、本体部と、カバー部と、筐体部とを具備する。基板は、光源が実装される。本体部は、対向する側壁によって形成される開口部の周縁から外側へ折り返して形成された折り返し部を有し、開口部の内側に基板を収容する。カバー部は、折り返し部を開口部の外側から覆う側面部と、開口部を覆う底面部とを有し、透光性である。筐体部は、側面部との間に空間を設けて本体部を収容する。
【発明の効果】
【０００８】
本発明によれば、意匠性を向上させることができる。
【図面の簡単な説明】
【０００９】
【図１】図１は、実施形態に係る照明装置の斜視図である。
【図２】図２は、図１に示すＡ−Ａ線を含む断面模式図である。
【図３】図３は、照明装置の配光特性を示す模式図である。
【図４】図４は、本体部の外観を示す斜視図である。
【図５】図５は、筐体部の外観を示す斜視図である。
【図６】図６は、照明装置の組み立て時における模式図である。
【図７】図７は、変形例に係る照明装置の斜視図である。
【発明を実施するための形態】
【００１０】
以下で説明する実施形態に係る照明装置１は、基板３０と、本体部２０と、カバー部４０と、筐体部１０とを具備する。基板３０は、光源３１が実装される。本体部２０は、対向する側壁２２によって形成される開口部２４の周縁から外側へ折り返して形成された折り返し部２３を有し、開口部２４の内側に基板３０を収容する。カバー部４０は、折り返し部２３を開口部２４の外側から覆う側面部４２と、開口部２４を覆う底面部４１とを有し、透光性である。筐体部１０は、側面部４２との間に空間を設けて本体部２０を収容する。
【００１１】
また、以下で説明する実施形態に係る本体部２０は、開口部２４の周縁と底面部４１とを離間させた状態で固定される。
【００１２】
また、以下で説明する実施形態に係る側面部４２は、折り返し部２３を先端側から係止する爪部４３を具備する。
【００１３】
また、以下で説明する実施形態に係る基板３０は、側壁２２に設置される。
【００１４】
また、以下で説明する実施形態に係る本体部２０は、対向する側壁２２が開口部２４に向かって開口部２４の外側へ傾斜して設けられる。
【００１５】
以下に、本発明に係る実施形態を図面に基づき説明する。各図においてリード線等による配線接続関係は省略して示している場合がある。なお、以下に示す実施形態は、本発明が開示する技術を限定するものではない。また、実施形態において同一の部位には同一の符号を付し、重複する説明は省略する。
【００１６】
（実施形態）
まず、図１を用いて実施形態に係る照明装置１の概要について説明する。図１は、実施形態に係る照明装置１の斜視図である。なお、図１では、照明装置１が、天井に埋め込まれて設置された場面を示し、設置後に天井に隠れる部分を想像線で示す。
【００１７】
また、図１では、説明を分かりやすくするために、鉛直方向上向きを正方向とするＺ軸を含む３次元の直交座標系を示している。なお、かかる直交座標系は、以下の説明で用いる他の図面においても示す場合がある。
【００１８】
図１に示すように、照明装置１は、筐体部１０と、カバー部４０と、機器カバー部５０とを具備する。筐体部１０は、例えば、ステンレス製の板金フレームであり、照明装置１の各部材を収容する筐体である。
【００１９】
また、筐体部１０は、底面側に光を出射させる開口を有し、かかる開口が２つのカバー部４０に覆われた領域に本体部２０(図２等参照)を収容し、機器カバー部５０に覆われた領域に空調機器やスピーカや非常灯等のその他の機器を収容する。
【００２０】
また、筐体部１０は、上記の開口の一部にカバー部４０や機器カバー部５０に覆われていない領域を有する。かかる領域は、空調機器用の吸排気口であり、かかる吸排気口は、筐体部１０の天板側に設けられた空調口と接続される。つまり、かかる領域を介して空調機器の吸排気を行うことができる。
【００２１】
カバー部４０は、例えば、ポリカーボネートやアクリル樹脂等であり、透光性を有する乳白色の部材である。カバー部４０を乳白色とすることで、後述する光源３１から出射した光を主面から出射させつつ、筐体部１０内部を外側から見えにくくすることができる。つまり、照明装置１の意匠性を向上させることができる。
【００２２】
また、カバー部４０は、例えば、図２にて後述する光源３１から出射した光を拡散するプリズムが一方または双方の主面に形成される。これにより、カバー部４０全体から均一に光を出射することが可能となる。また、それぞれのカバー部４０は、正面視において矩形状であり、長手方向(Ｙ軸方向)に沿って後述する本体部２０へ固定される。
【００２３】
次に、照明装置１の内部構成について説明する。図２は、図１に示すＡ−Ａ線を含む断面図であり、Ａ−Ａ線をＸＺ平面に沿って切断した断面をＹ軸方向から見た断面図に相当する。なお、ここでは、図１に示した一方のカバー部４０に覆われた領域のみを示す。
【００２４】
図２に示すように、照明装置１は、筐体部１０と、本体部２０と、基板３０と、カバー部４０とを具備する。筐体部１０は、上面フレーム１１と、第１側面フレーム１２とを有する。また、筐体部１０は、上面フレーム１１の反対側に開口を有し、かかる開口の一部がカバー部４０によって覆われる。
【００２５】
また、上面フレーム１１は、矩形状の開口を有するとともに、第１側面フレーム１２は、カバー部４０の側面部４２との間に空間が設けられる。すなわち、照明装置１において、本体部２０は、第１側面フレーム１２と離間した状態で固定され、第１側面フレーム１２と本体部２０を側面から覆うカバー部４０の側面部４２とは離間して固定される。なお、第１側面フレーム１２と、側面部４２との間の空間が上述の「吸排気口」に対応する。
【００２６】
また、例えば、上面フレーム１１の開口の外側に空調機器が設けられる。このため、かかる空調機器は、上面フレーム１１の開口から吸排気口を介して屋内へ吸排気することが可能となる。
【００２７】
本体部２０は、例えば、アルミやステンレス等の１枚の板金を折り曲げて形成される。また、本体部２０は、天板２１と、対向する側壁２２とを有し、対向する側壁２２によって形成される開口部２４（天板２１と逆側の面；図３参照）が、カバー部４０によって覆われる。
【００２８】
また、対向する側壁２２は、天板２１から開口部２４に向かって開口部２４の外側に向かって傾斜して設けられ、対向する側壁２２のそれぞれに基板３０が設置される。これにより、上記の吸排気口を効率よく光らせることが可能であるが、かかる点の詳細については、図３を用いて後述する。
【００２９】
また、対向する側壁２２は、開口部２４の周縁からそれぞれ外側へ折り返して形成された折り返し部２３を有する。より具体的には、折り返し部２３は、側壁２２から外向きに折り曲った平坦部と、かかる平坦部から鉛直上向きに折れ曲がった先端部を有する。
【００３０】
本体部２０は、折り返し部２３の先端部に後述するカバー部４０の爪部４３が係止することで、カバー部４０を保持する。なお、対向する側壁２２は、互いに平行に設けられることにしてもよいし、天板２１に基板３０が設置されることにしてもよい。
【００３１】
基板３０は、ＳＭＤ（Surface  Mount  Device）形で構成され、光源３１が実装される。ただし、基板３０は、ＳＭＤ形に限られず、ＣＯＢ（Chip  on  Board）形であってもよい。また、光源３１は、ＬＥＤ（Light  Emitting  Diode）である。ただし、光源３１が蛍光灯である場合であっても本発明を適用可能である。
【００３２】
カバー部４０は、上述のように、透光性のカバーであり、開口部２４を覆う底面部４１と、折り返し部２３を開口部２４の外側から覆う側面部４２とを有する。実施形態に係る照明装置１は、カバー部４０の側面部４２で、折り返し部２３を覆うことで、側面部４２の外側から光を出射させることができ、上記の吸排気口を間接的に光らせることが可能となる。なお、かかる点の詳細については、図３を用いて後述する。
【００３３】
また、側面部４２は、折り返し部２３を折り返し部２３の先端側から係止する爪部４３を有する。照明装置１を設置すると、カバー部４０に対して鉛直下向き（Ｚ軸負方向）へ働く重力が作用するので、爪部４３によって折り返し部２３が係止されることになる。
【００３４】
これにより、本体部２０に対してカバー部４０を固定することができ、カバー部４０の落下等を抑制することができる。また、かかる場合に、爪部４３と折り返し部２３とは密着する。したがって、本体部２０とカバー部４０とを密着させることができるので、本体部２０内部への埃や虫等の進入を抑制することができる。
【００３５】
次に、図３を用いて照明装置１の配光特性について説明する。図３は、実施形態に係る照明装置１の配光特性を示す模式図である。なお、図３では、照明装置１の内部構成を簡略化し、図２に示した筐体部１０等の記載を省略して示す。また、ここでは、光の光路を破線で示す。
【００３６】
図３に示すように、光源３１から出射した光は、カバー部４０の底面部４１へ導光する。その後、かかる光は、カバー部４０の内部または表面で屈折し、側面部４２側へ導光する。かかる光が、上述のように、第１側面フレーム１２と、側面部４２との間に設けられた吸排気口へ導かれる。
【００３７】
したがって、光源３１は、吸排気口を間接的に照らすことになる。これにより、照明装置１では、吸排気口を明るくすることができるので、意匠性を向上させることができる。つまり、側壁２２に基板３０、すなわち、光源３１を設置することで、天板２１に光源３０を設置する場合に比べて効率よく光源３１の光を側面部４２へ向けて導光することが可能となる。
【００３８】
また、照明装置１は、側壁２２は、天板２１から開口部２４に向かって開口部２４の外側(側面部４２側)に傾斜して設けられる。これにより、光源３１の光軸(図示せず)は、側面部４２側を向くことになる。したがって、光源３１の光を側面部４２側へ効率よく導光することができ、吸排気口へ効率よく導光することができる。
【００３９】
さらに、図３に示すように、照明装置１において、開口部２４の周縁(側壁２２と折り返し部２３との境界)と底面部４１とは離間した状態で固定される。これにより、底面部４１の端部(折り返し部２３の直下)へ光源３１の光を効率よく集光することが可能となる。
【００４０】
仮に、開口部２４の周縁と底面部４１とを密着させた状態で固定した場合、側壁２２で側面部４２が遮られる面積が増えるので、側面部４２への集光効率が低下することとなる。
【００４１】
つまり、開口部２４の周縁と底面部４１とを離間した状態で固定することで、側面部４２への集光効率を向上させることができ、その結果、上記の吸排気口を効率よく照らすことが可能となる。
【００４２】
さらに、照明装置１は、かかる構成とすることで、底面部４１の端部、すなわち、折り返し部２３の下端側の領域から光を効率よく出射させることができるので、底面部４１全体から均一に光を出射させることが可能となる。
【００４３】
次に、図４を用いて本体部２０の側面の形状について説明する。図４は、本体部２０の外観を示す斜視図であり、本体部２０を短手方向側(Ｘ軸方向)からみた図である。図４に示すように、本体部２０は、上述した天板２１や側壁２２に加え、側壁カバー２５を有する。
【００４４】
側壁２２は、本体部２０内部を長手方向側(Ｙ軸方向)から覆うのに対して、側壁カバー２５は、本体部２０内部を短手方向側(Ｘ軸方向)から覆う。側壁カバー２５は、本体部２０にカバー部４０が取り付けられた状態で取り付けられる。
【００４５】
また、側壁カバー２５は、周縁部が本体部２０側に折り曲がったフランジを有し、かかるフランジを介してねじ止めされることで、側壁カバー２５が本体部２０に固定される。ここで、側壁カバー２５は、天板２１や側壁２２と隙間なく密着させた状態で固定される。
【００４６】
これにより、上述のように、本体部２０内部への埃や虫等の進入を抑制することができる。また、側壁カバー２５は、ネジ穴２６を有する。ネジ穴２６は、筐体部１０に対して本体部２０を固定するためのネジが挿入される穴である。かかる点の詳細について図５を用いて説明する。図５は、筐体部１０の外観を示す斜視図である。
【００４７】
図５に示すように、筐体部１０は、上面フレーム１１や第１側面フレーム１２に加えて、第２側面フレーム１３を有する。第１側面フレーム１２は、本体部２０を本体部２０の長手方向(Ｙ軸方向)から覆うのに対して、第２側面フレーム１３は、本体部２０を本体部２０の短手方向(Ｘ軸方向)から覆うフレームである。
【００４８】
また、本体部２０は、第２側面フレーム１３を介して筐体部１０に固定される。すなわち、第２側面フレーム１３は、図４に示した側壁カバー２５と平行に設置され、第２側面フレーム１３の外側からネジｓｃが側壁カバー２５のネジ穴２６へ嵌合して挿入される。これにより、筐体部１０に本体部２０を固定することができる。
【００４９】
また、第２側面フレーム１３は、ネジｓｃの鉛直上側に第２側面フレーム１３から本体部２０側へ突出した保持部１４を有する。保持部１４は、照明装置１の組み立て後において、本体部２０を鉛直上向きから保持する役割を担い、照明装置１の組み立て時において、照明装置１の組み立てを容易にする役割を担う。
【００５０】
図６は、照明装置１の組み立て時における模式図である。なお、図６では、第２側面フレーム１３側から照明装置１を見た模式図であり、第２側面フレーム１３で隠れる部分を想像線で示す。
【００５１】
図６に示すように、照明装置１の組み立て時において、本体部２０を第２側面フレーム１３へ固定する場合、カバー部４０が天板２１に対して鉛直上向きとなるように、すなわち、照明装置１を一旦設置向きとは逆向きにひっくり返した状態で固定する。
【００５２】
この際、本体部２０は、保持部１４によって鉛直下方向から保持されることとなる。つまり、本体部２０のネジ穴２６の高さをネジｓｃを挿入する高さに固定することが可能となる。
【００５３】
仮に、保持部１４がない場合を想定すると、ネジ穴２６の高さを調整しつつ、第２側面フレーム１３の外側からネジｓｃを挿入する必要があり、かかる高さをあわせる分だけ、組み立て作業が煩雑化するおそれがある。
【００５４】
これに対して、照明装置１では、保持部１４によってネジ穴２６の高さを容易に調整することができるので、組み立て作業を容易にすることが可能となる。このように、保持部１４は、組み立てを容易にするとともに、組み立て後については、本体部２０を鉛直上側から抑えるので、本体部２０を筐体部１０からずれにくくすることができる。
【００５５】
上述したように、実施形態に係る照明装置１は、基板３０と、本体部２０と、カバー部４０と、筐体部１０とを具備する。基板３０は、光源３１が実装される。本体部２０は、対向する側壁２２によって形成される開口部２４の周縁から外側へ折り返して形成された折り返し部２３を有し、開口部２４の内側に基板３０を収容する。
【００５６】
カバー部４０は、折り返し部２３を開口部２４の外側から覆う側面部４２と、開口部２４を覆う底面部４１とを有し、透光性である。筐体部１０は、側面部４２との間に空間を設けて本体部２０を収容する。これにより、上記の吸排気口を間接的に照射することができるので、意匠性を向上させることができる。
【００５７】
ところで、上述した実施形態では、照明装置１が２つの本体部２０やカバー部４０を有する場合について例示したが、これに限定されるものではない。すなわち、照明装置１は、１つの本体部２０やカバー部４０のみを有することにしてもよい。
【００５８】
図７は、変形例に係る照明装置１Ａの斜視図である。図７に示すように、変形例に係る照明装置１Ａは、１つのカバー部４０のみを有することにしてもよい。かかる場合に、例えば、照明装置１Ａは、１つの本体部２０を有する。なお、ここでは、カバー部４０が正面視において長方形状である場合について示したが、カバー部４０は、正面視において正方形状であってもよく、１つのカバー部４０で複数の本体部２０を覆うことにしてもよい。なお、このことは、照明装置１についても同様である。
【００５９】
また、上述した実施形態では、本体部２０の長手方向に対向する側壁２２を設ける場合について説明したが、これに限定されるものではなく、対向する側壁２２を本体部２０の短手方向に設けることにしてもよいし、あるいは、双方に設けることにしてもよい。
【００６０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６１】
１、１Ａ    照明装置
１０    筐体部
１１    上面フレーム
１２    第１側面フレーム
１３    第２側面フレーム
１４    保持部
２０    本体部
２１    天板
２２    側壁
２３    折り返し部
２４    開口部
２５    側壁カバー
３０    基板
３１    光源
４０    カバー部
４１    底面部
４２    側面部
４３    爪部
【図１】
2019149310.tif 000003
【図２】
2019149310.tif 000004
【図３】
2019149310.tif 000005
【図４】
2019149310.tif 000006
【図５】
2019149310.tif 000007
【図６】
2019149310.tif 000008
【図７】
2019149310.tif 000009